(57)【特許請求の範囲】
【請求項１】
ＤＳＵおよび端末回路を収容するＩＳＤＮ端末装置のＳ／Ｔ点インターフェースにおいて、前記ＤＳＵと前記端末回路との間を接続するインターフェース回路を備え、前記端末回路に無トランス端末回路および有トランス端末回路を有すると共に前記インターフェース回路は受信側および送信側を有し、
受信側インターフェース回路では、前記ＤＳＵからの信号の一方を受信側基準電圧として他方を信号に当て、無トランス対応部分は前記基準電圧に対するＡＭＩ信号を検出して前記無トランス端末回路へ出力し、有トランス対応部分は前記基準電圧と受けた信号とを前記有トランス端末回路へ送出し、
送信側インターフェース回路では、前記ＤＳＵへの信号の一方を送信側基準電圧とし他方を信号とすることで該信号を正負のＡＭＩ符号で駆動し、無トランス対応部分はＡＭＩ信号を個別制御して前記ＤＳＵへの信号とし、有トランス対応部分はＡＭＩ信号を検出して制御信号とし、かつ前記無トランス対応部分と前記有トランス対応部分との制御信号をワイヤードオア接続して前記ＤＳＵへの信号とする
ことを特徴とするＩＳＤＮ端末装置のＳ／Ｔ点インターフェース。
【請求項２】
請求項１において、受信側の無トランス対応部分は正負のＡＭＩ信号を処理するため交互反転信号を検出する二つのコンパレータを備え、送信側では信号「０」を正負のＡＭＩ符号で駆動し、送信側の無トランス対応部分はＡＭＩ信号「０」を個別制御するオープンコレクタ／ドレインを備え、かつ送信側の有トランス対応部分はＡＭＩ信号「０」に対する正負の極性を検出して制御信号とするコンパレータを備えることを特徴とするＩＳＤＮ端末装置のＳ／Ｔ点インターフェース。
【請求項３】
ＤＳＵおよび端末回路を収容するＩＳＤＮ端末装置のＳ／Ｔ点インターフェースにおいて、前記ＤＳＵと前記端末回路との間を接続するインターフェース回路を備え、前記端末回路に無トランス端末回路および有トランス端末回路を有すると共に前記インターフェース回路は受信側および送信側を有し、
受信側インターフェース回路は、前記ＤＳＵから一方の信号を正負交互に変換して発生するＡＭＩ信号で受け、他方の信号を基準電圧とする信号ＲＰ，ＲＮで受けるものであって、
一方を前記信号ＲＰ，ＲＮそれぞれに接続し他方を接地する二組の直列抵抗と、前記信号ＲＰ，ＲＮそれぞれに対応して設け入力として前記直列抵抗の中間点をそれぞれの「−」端子、前記信号ＲＰを前記信号ＲＮに対応する側の「＋」端子、かつ前記信号ＲＮを前記信号ＲＰに対応する側の「＋」端子、それぞれに接続し出力を前記無トランス端末回路におけるＡＭＩ符号の正負それぞれに供給する二つのコンパレータと、前記有トランス端末回路に対しては、一方を前記信号ＲＰ，ＲＮそれぞれに接続し他方を前記有トランス端末回路の入力トランスＩＮの１次側に供給する二つのレベル調整抵抗とを備え、
送信側インターフェース回路は、一方を所定の電源に接続し他方を接地し異なる二つの中間点で前記有トランス端末回路の出力トランスＯＵＴの（＋，−）出力それぞれを接続する第１の直列抵抗と、一方を所定の電源に接続し他方を接地する第２の直列抵抗と、第３の直列抵抗と、前記第２の直列抵抗の中間点を「＋」端子、前記第１の直列抵抗の「＋」側中間点を「−」端子、それぞれに入力する第１のコンパレータと、前記第１の直列抵抗の「＋」側中間点を「＋」端子、「−」側中間点を「−」端子、それぞれに接続する第２のコンパレータと、エミッタ（ソース）を所定の電源に、コレクタ（ドレイン）を前記第３の直列抵抗の一方に、またベース（ゲート）を前記無トランス端末回路のＡＭＩ（＋）出力および前記第１のコンパレータの出力に、それぞれ接続するＰＮＰトランジスタ（ＰchＦＥＴ）と、コレクタ（ドレイン）を前記第３の直列抵抗の他方に、エミッタ（ソース）を接地に、かつベース（ゲート）を反転回路を介して前記無トランス端末回路のＡＭＩ（−）出力および前記第２のコンパレータの出力に、それぞれ接続するＮＰＮトランジスタ（ＮchＦＥＴ）と、一方を前記第３の直列抵抗の中間点に、他方を所定電圧にそれぞれ接続する出力調整用抵抗と、所定電圧を、一方を直接、他方を前記出力調整用抵抗を介して前記ＤＳＵへ供給する出力とを備えること
を特徴とするＩＳＤＮ端末装置のＳ／Ｔ点インターフェース。
【発明の詳細な説明】
【０００１】
【発明の属する技術分野】
本発明は、ＤＳＵおよび端末回路を収容するＩＳＤＮ端末装置のＳ／Ｔ点インターフェースに関し、特に、端末回路としてトランス有無のいずれのタイプでも接続することができるＩＳＤＮ端末装置のＳ／Ｔ点インターフェースに関する。
【０００２】
【従来の技術】
従来、この種のＩＳＤＮ端末装置のＳ／Ｔ点インターフェースでは、例えば、図６に示されるように、ＩＳＤＮ端末装置１００に内蔵するＤＳＵ（Digital Service Unit：宅内回線終端ユニット）１０１に接続するＩＳＤＮ回線の受信側（ＲＡ，ＲＢ）および送信側（ＴＡ，ＴＢ）それぞれを、トランスを介して端末装置の本体機能を有する端末回路１０２に接続している。
【０００３】
しかし、端末回路１０２には、発揮する機能をディジタル処理することによりＤＳＵとトランスなしで直接接続できるものがある。
【０００４】
【発明が解決しようとする課題】
上述した従来のＩＳＤＮ端末装置のＳ／Ｔ点インターフェースでは、端末回路が有する機能により、ＤＳＵとの間にトランスの必要な場合と不必要な場合とがある。トランスが不要にもかかわらずトランスを備える場合にはトランス分のコストが増加するという問題点が生じる一方、トランスを削除した場合には外部設置用でトランスを必要とするユニットを接続できないという問題点がある。
【０００５】
本発明の課題は、このような問題点を解決し、ＩＳＤＮ端末装置でＤＳＵと端末回路との接続部分であるＳ／Ｔ点インターフェース回路からトランスを削除し、かつトランス有無のいずれの端末回路にも適用ができるＩＳＤＮ端末装置のＳ／Ｔ点インターフェースを提供することである。
【０００６】
【課題を解決するための手段】
本発明によるＤＳＵおよび端末回路を収容するＩＳＤＮ端末装置のＳ／Ｔ点インターフェースは、前記ＤＳＵと前記端末回路との間を接続するインターフェース回路を備え、前記端末回路に無トランス端末回路および有トランス端末回路を有すると共に前記インターフェース回路は受信側および送信側を有している。受信側インターフェース回路では、前記ＤＳＵからの信号の一方を受信側基準電圧として他方を信号に当て、無トランス対応部分は前記基準電圧に対するＡＭＩ信号を検出して前記無トランス端末回路へ出力し、有トランス対応部分は前記基準電圧と受けた信号とを前記有トランス端末回路へ送出している。送信側インターフェース回路では、前記ＤＳＵへの信号の一方を送信側基準電圧とし他方を信号とすることで該信号を正負のＡＭＩ符号で駆動し、無トランス対応部分はＡＭＩ信号を個別制御して前記ＤＳＵへの信号とし、有トランス対応部分はＡＭＩ信号を検出して制御信号とし、かつ前記無トランス対応部分と前記有トランス対応部分との制御信号をワイヤードオア接続して前記ＤＳＵへの信号とするように回路は構成されている。
【０００７】
このような構成により、ＤＳＵを内蔵するＩＳＤＮ端末装置では、インターフェース回路が、トランス不用な無トランス端末回路にはトランスなしで、また有トランス端末回路にはトランスを含み、いずれの機能回路にも適応し接続できる。
【０００８】
また、具体的には、受信側の無トランス対応部分は正負のＡＭＩ信号を処理するため交互反転信号を検出する二つのコンパレータを備え、送信側では信号「０」を正負のＡＭＩ符号で駆動し、送信側の無トランス対応部分はＡＭＩ信号「０」を個別制御するオープンコレクタ／ドレイン出力端を備え、かつ送信側の有トランス対応部分はＡＭＩ信号「０」に対する正負の極性を検出して制御信号とするオープンコレクタ／ドレイン出力のコンパレータを備えている。
【０００９】
更に、具体的な受信側インターフェース回路は、前記ＤＳＵから一方の信号を正負交互に変換して発生するＡＭＩ信号で受け、他方の信号を基準電圧とする信号ＲＰ，ＲＮで受けるものであって、一方を前記信号ＲＰ，ＲＮそれぞれに接続し他方を接地する二組の直列抵抗と、前記信号ＲＰ，ＲＮそれぞれに対応して設け入力として前記直列抵抗の中間点をそれぞれの「−」端子、前記信号ＲＰを前記信号ＲＮに対応する側の「＋」端子、かつ前記信号ＲＮを前記信号ＲＰに対応する側の「＋」端子、それぞれに接続し出力を前記無トランス端末回路におけるＡＭＩ符号の正負それぞれに供給する二つのコンパレータと、前記有トランス端末回路に対しては、一方を前記信号ＲＰ，ＲＮそれぞれに接続し他方を前記有トランス端末回路の入力トランスＩＮの１次側に供給する二つのレベル調整抵抗とを備えている。
【００１０】
また、送信側インターフェース回路は、一方を所定の電源に接続し他方を接地し異なる二つの中間点で前記有トランス端末回路の出力トランスＯＵＴの（＋，−）出力それぞれを接続する第１の直列抵抗と、一方を所定の電源に接続し他方を接地する第２の直列抵抗と、第３の直列抵抗と、前記第２の直列抵抗の中間点を「＋」端子、前記第１の直列抵抗の「＋」側中間点を「−」端子、それぞれに入力する第１のコンパレータと、前記第１の直列抵抗の「＋」側中間点を「＋」端子、「−」側中間点を「−」端子、それぞれに接続する第２のコンパレータと、エミッタ（ソース）を所定の電源に、コレクタ（ドレイン）を前記第３の直列抵抗の一方に、またベース（ゲート）を前記無トランス端末回路のＡＭＩ（＋）出力および前記第１のコンパレータの出力に、それぞれ接続するＰＮＰトランジスタ（ＰchＦＥＴ）と、コレクタ（ドレイン）を前記第３の直列抵抗の他方に、エミッタ（ソース）を接地に、かつベース（ゲート）を反転回路を介して前記無トランス端末回路のＡＭＩ（−）出力および前記第２のコンパレータの出力に、それぞれ接続するＮＰＮトランジスタ（ＮchＦＥＴ）と、一方を前記第３の直列抵抗の中間点に、他方を所定電圧にそれぞれ接続する出力調整用抵抗と、所定電圧を、一方を直接、他方を前記出力調整用抵抗を介して前記ＤＳＵへ供給する出力とを備えている。
【００１１】
【発明の実施の形態】
次に、本発明の実施の形態について図面を参照して説明する。
【００１２】
本発明によるＩＳＤＮ端末装置は、ＤＳＵとそれぞれがＩＳＤＮ端末機能を有する複数の端末回路とを内蔵しているものである。
【００１３】
図１は本発明の実施の一形態を示す機能ブロック図である。
【００１４】
図１に示されたＩＳＤＮ端末装置のＳ／Ｔ点インターフェースでは、受信側インターフェース回路１０および送信側インターフェース回路２０が、ＤＳＵ１と無トランス端末回路２および有トランス端末回路３との間に備えられている。
【００１５】
受信側インターフェース回路１０は、ＤＳＵ１から受ける基準電圧２．５Ｖに対してＡＭＩ（Alternate Mark Inversion)信号ＲＰ，ＲＮを受けている。受信側インターフェース回路１０は、無トランス端末回路２に対しては二つのコンパレータＣＰをＡＭＩ信号の極性「＋，−」それぞれに用いている。有トランス端末回路３のトランスに対しては入力する信号に対応する方向に電流が流れ、信号を伝達する。
【００１６】
送信側インターフェース回路２０は、ＤＳＵ１へ２．５Ｖを基準電圧としてＡＭＩ信号ＴＰ，ＴＮを送出する。送信側インターフェース回路２０は、無トランス端末回路２から極性「＋，−」を有するＡＭＩ信号を受け、トランジスタのオープンコレクタ又はＦＥＴ（電界効果トランジスタ）のオープンドレインの回路によりこれらを個別に識別してＤＳＵ１へ送出する。有トランク端末回路３では、極性「＋，−」それぞれに対してコンパレータＣＰを備えてこれらを検出し、制御信号とする。無トランス端末回路２および有トランス端末回路３それぞれの制御信号はワイヤードオアで接続してＤＳＵ１への信号ＴＰ，ＴＮとしている。
【００１７】
次に、図２を参照して、受信側インターフェース回路１０の回路構成の一形態について説明する。
【００１８】
ＤＳＵ１は、ＩＳＤＮ回線からの受信信号を、２．５Ｖを基準電圧として正負の極性を有するＡＭＩ信号ＲＰ，ＲＮに変換して受信側インターフェース回路１０へ送出している。無トランス端末回路２はＡＭＩ信号の正負極性それぞれの信号をＡＭＩ（＋，−）それぞれの信号により受信側インターフェース回路１０から受けている。有トランス端末回路３はＤＳＵ１の出力を、受信側インターフェース回路１０を介して入力トランスＩＮの１次側に接続している
受信側インターフェース回路１０は、コンパレータ（以後、ＣＰと略称する）１１，１２および抵抗器（以後、Ｒと略称する）１１〜１６により構成される。
【００１９】
ＣＰ１１では「＋」端子が、ＤＳＵ１の信号ＲＮと、Ｒ１３，１６の一方とに接続される。「−」端子はＲ１１，１２の一方に接続される。ＣＰ１１の出力は無トランス端末回路２のＡＭＩ（＋）入力に接続される。ＣＰ１２では「＋」端子が、ＤＳＵ１の信号ＲＰと、Ｒ１１，１５の一方とに接続される。「−」端子はＲ１３，１４の一方に接続される。ＣＰ１２の出力は無トランス端末回路２のＡＭＩ（−）入力に接続される。
【００２０】
Ｒ１１の一方は、ＤＳＵ１の信号ＲＰとＣＰ１２の「＋」端子とＲ１５の一方とに接続される。Ｒ１１の他方は、ＣＰ１１の「−」端子とＲ１２の一方に接続される。Ｒ１２の他方は接地される。Ｒ１３の一方は、ＤＳＵ１の信号ＲＮとＣＰ１１の「＋」端子とＲ１６の一方とに接続される。Ｒ１３の他方は、ＣＰ１２の「−」端子とＲ１４の一方に接続される。Ｒ１４の他方は接地される。Ｒ１５は、一方をＤＳＵ１の信号ＲＰとＣＰ１２の「＋」端子とＲ１１の一方とに接続し、他方を有トランス端末回路３の入力トランスＩＮ（＋）に接続する。Ｒ１６、一方をＤＳＵ１の信号ＲＮとＣＰ１１の「＋」端子とＲ１３の一方とに接続し、他方を有トランス端末回路３の入力トランスＩＮ（−）に接続する。
【００２１】
次に、図３を参照して、送信側インターフェース回路２０の回路構成の一形態について説明する。
【００２２】
ＤＳＵ１は、２．５Ｖを基準電圧として正負の極性を有するＡＭＩ信号ＴＰ，ＴＮを送信側インターフェース回路２０から受け、ＩＳＤＮ回線へ送信している。無トランス端末回路２はＡＭＩ信号の正負極性それぞれの信号をＡＭＩ（＋，−）出力それぞれにより送信側インターフェース回路２０へ送出している。また、有トランス端末回路３は送信側インターフェース回路２０へ出力トランスＯＵＴの２次側を接続している。
【００２３】
送信側インターフェース回路２０は、ＣＰ２１，２２、トランジスタ（以後、ＴＲと略称する）２１，２２、およびＲ２１〜２８により構成される。ＴＲ２１，２２は以下にバイポーラトランジスタであるとして説明するが、電界効果トランジスタのように他のタイプでもよい。また、ＴＲ２１はＰＮＰトランジスタであり、ＴＲ２２はＮＰＮトランジスタであるものとする。
【００２４】
ＣＰ２１では「＋」端子がＲ２４，２５の一方と接続される。「−」端子はＣＰ２２の「＋」端子とＲ２１，２２の一方に接続される。ＣＰ２１の出力は無トランス端末回路２のＡＭＩ（＋）出力に接続されると共にＴＲ２１のベースに接続される。ＣＰ２２では「＋」端子が、ＣＰ２１の「−」端子とＲ２１，２２の一方とに接続される。「−」端子はＲ２２，２３の一方に接続される。ＣＰ２２の出力は無トランス端末回路２のＡＭＩ（−）出力に接続されると共に反転回路を介してＴＲ２２のベースに接続される。
【００２５】
ＴＲ２１のベースは、無トランス端末回路２のＡＭＩ（＋）出力とＣＰ２１の出力端子とに接続される。エミッタは電源に接続され、コレクタはＲ２６の一方に接続される。ＴＲ２２のベースは、反転回路を介してＣＰ２２の出力と接続する。コレクタはＲ２７の一方に接続し、エミッタは接地される。
【００２６】
Ｒ２１の一方は電源に接続され、他方は有トランス端末回路３の出力トランスＯＵＴ（＋）とＣＰ２１の「−」端子とＣＰ２２の「＋」端子とＲ２２の一方とに接続される。Ｒ２２の一方は、有トランス端末回路３の出力トランスＯＵＴ（＋）とＣＰ２１の「−」端子とＣＰ２２の「＋」端子とＲ２１の一方とに接続される。Ｒ２２の他方は、有トランス端末回路３の出力トランスＯＵＴ（−）とＣＰ２２の「−」端子とＲ２３の一方とに接続される。Ｒ２３の他方は接地される。
【００２７】
Ｒ２４は、一方を電源に接続し、他方をＣＰ２１の「＋」端子とＲ２５の一方とに接続する。Ｒ２５の他方は接地される。Ｒ２６は一方をＴＲ２１のコレクタに接続し、他方をＲ２７，２８の一方に接続し信号ＴＰとしてＤＳＵ１に接続する。Ｒ２７は、一方をＲ２６，２８の一方に接続し信号ＴＰとしてＤＳＵ１に接続し、他方をＴＲ２２のコレクタに接続する。また、ＤＳＵ１の信号ＴＮとして２．５Ｖ電源を接続する。
【００２８】
次に図２および図４を併せ参照して受信側インターフェース回路１０の動作機能について説明する。
【００２９】
ＩＳＤＮにおける標準インターフェース点であるＳ／Ｔ点ではトランスで相互接続され、２線間に電流が流れることにより信号の伝達が行われる。ＡＭＩ信号として信号「１」では電流が流れず電圧は「０」Ｖであり、信号「０」で電流の向きが正負交互に変換して発生するので、線間電圧も交互に極性を変化する。したがって、ＤＳＵ１では２．５Ｖを基準電圧としてＩＳＤＮ回線での受信信号を、出力信号ＲＰ，ＲＮとし極性を変換して発生する。
【００３０】
ここで、上述した受信側インターフェース回路１０を無トランス部と有トランス部とに分割して説明する。
【００３１】
無トランス部はＤＳＵ１と無トランス端末回路２とを接続する回路である。無トランス部では、図示して説明するように、ＤＳＵ１の一方の出力信号ＲＰは直列抵抗Ｒ１１，１２を介して接地され、抵抗Ｒ１１，１２の接続点がＣＰ１１の「−」端子に接続される。ＣＰ１１の「＋」端子は、ＤＳＵ１の他方の出力信号ＲＮと接続して、出力を無トランス端末回路２のＡＭＩ（＋）入力に接続する。同様に、ＤＳＵ１の出力信号ＲＮは直列抵抗Ｒ１３，１４を介して接地され、抵抗Ｒ１３，１４の接続点がＣＰ１２の「−」端子に接続される。ＣＰ１２の「＋」端子は、ＤＳＵ１の他方の出力信号ＲＰと接続して、出力を無トランス端末回路２のＡＭＩ（−）入力に接続する。直列抵抗Ｒ１１，１２およびＲ１３，１４それぞれはＣＰ１１，１２それぞれの閾値調整用である。したがって、交互に発生する「０」信号はＣＰ１１，１２それぞれの出力に交互に発生して接続される無トランス端末回路２のＡＭＩ（＋，−）入力となる。
【００３２】
有トランス部はＤＳＵ１と有トランス端末回路３とを接続する回路である。有トランス部では、ＤＳＵ１の出力信号ＲＰ，ＲＮそれぞれをレベル調整用抵抗Ｒ１５，１６を介して有トランス端末回路３の入力トランスＩＮの１次側に接続される。入力トランスＩＮではＤＳＵ１の出力が直接入力し交流分のみを通過させるので、２次側は上記Ｓ／Ｔ点と同一条件となる。
【００３３】
次に図３および図５を併せ参照して送信側インターフェース回路２０の動作について説明する。
【００３４】
ＤＳＵ１への信号出力は２．５Ｖを中心として極性変換するものとする。また、無トランス部と有トランス部との信号はワイヤードオアで接続され、「０」信号の「＋」側はＰＮＰトランジスタのＴＲ２１、「−」側はＮＰＮトランジスタのＴＲ２２で駆動される。エミッタを電源に接続するＴＲ２１とエミッタを接地するＴＲ２２との間には抵抗Ｒ２６，２７が直列接続され、Ｒ２６，２７の接続点がＤＳＵ１へ信号ＴＰとして入力される。
【００３５】
ここで、送信側インターフェース回路２０の入力部分を受信部と同様、無トランス部と有トランス部とに分割して説明する。
【００３６】
無トランス部はＤＳＵ１と無トランス端末回路２とを接続する回路である。無トランス部では、無トランス端末回路２のＡＭＩ（＋）出力はＴＲ２１のベース、ＡＭＩ（−）出力は反転回路を介してＴＲ２２のベースに接続する。すなわち、無トランス端末回路２から受けた「０」信号はオープンコレクタによりＤＳＵ１へ直接送出される。
【００３７】
有トランス部はＤＳＵ１と有トランス端末回路３とを接続する回路である。有トランス部では、一方を電源に他方を接地するＲ２１，２２，２３の直列回路とＲ２４，２５の直列回路とを有している。有トランス端末回路３の出力トランスＯＵＴの（＋，−）出力は、Ｒ２２の両端とＣＰ２２の「＋，−」とに接続している。上記直列抵抗回路は分圧して単電源のＣＰ２１，２２に中点電圧を接続するものであり、ＣＰ２１はＯＵＴ（＋）およびＣＰ２２はＯＵＴ（−）それぞれの「０」信号を検出して上記トランジスタ回路へ接続している。この際、Ｒ２１〜２５は中心信号「１」に対して、ＣＰ２１，２２の出力を安定させることができる。また、Ｒ２２はＲ２１，２３と比較して小さな抵抗値とすることで、有トランス端末回路３の出力トランスＯＵＴに流れる電流を小さくしている。
【００３８】
上記説明では、コンパレータ、トランジスタ、および抵抗器を用いて形成した回路構成を示して参照しているが、他の素子および構成でも上記機能を実現できるものであれば、構成素子および／又は回路の変更は自由であり上記説明が本発明を限定するものではない。また、信号処理の論理についても同様である。
【００３９】
【発明の効果】
以上説明したように本発明によるＤＳＵと複数機能の端末回路とを内蔵するＩＳＤＮ端末装置のＳ／Ｔ点インターフェースでは、ＤＳＵと無トランス端末回路および有トランス端末回路との間にインターフェース回路が備えられでおり、このインターフェース回路は受信側回路および送信側回路を有している。受信側インターフェース回路では、ＤＳＵからの信号の一方を受信側基準電圧とし他方を信号に当て、受信側の無トランス部分では基準電圧に対するＡＭＩ信号を検出して無トランス端末回路へ出力し、受信側の有トランス部分では基準電圧と受けた信号とを有トランス端末回路へ送出している。また、送信部インターフェース回路では、ＤＳＵへの信号の一方を送信側基準電圧とし他方を信号とすることでこの信号を正負のＡＭＩ符号で駆動し、送信側の無トランス部分はＡＭＩ信号を個別制御してＤＳＵへの信号とし、送信側の有トランス部分はＡＭＩ信号を検出して制御信号とし、かつ送信側の無トランス部分と有トランス部分との制御信号をワイヤードオア接続してＤＳＵへの制御信号としている。
【００４０】
この構成・方法によって、ＩＳＤＮ端末装置におけるＤＳＵと端末回路との接続部分であるＳ／Ｔ点インターフェースの回路からトランスを削除してコストの低減を図ることができると共に、トランスにより機能を接続する外部ユニットも接続可能となる。すなわち本発明によるインターフェース回路で、端末回路に機能としてトランスの必要性の有無にかかわらず、いずれの端末回路にも適用ができるという効果を得ることができる。
【図面の簡単な説明】
【図１】本発明の実施の一形態を示す機能ブロック図である。
【図２】図１の受信側部分における実施の一形態を示す回路図である。
【図３】図１の送信側部分における実施の一形態を示す回路図である。
【図４】図２における主要部の信号波形図である。
【図５】図３における主要部の信号波形図である。
【図６】従来の一例を示す機能ブロック図である。
【符号の説明】
１      ＤＳＵ
２      無トランス端末回路
３      有トランス端末回路
１０    受信側インターフェース回路
２０    送信側インターフェース回路
【図１】
0003869271.tif 000002
【図２】
0003869271.tif 000003
【図３】
0003869271.tif 000004
【図４】
0003869271.tif 000005
【図５】
0003869271.tif 000006
【図６】
0003869271.tif 000007